(57)【要約】【課題】分離回収を目的とした注出キャップを容器の口部に打栓するにあたり、その外周部に局所的に生じる歪みや変形を抑制し、見栄えの良い顧客吸引力に優れた注出キャップを提供する。【解決手段】本発明の注出キャップ１は、注出口を有し容器口部31に打栓される本体２と、この本体２を容器口部30から引き離すための連結基部４を有し本体２の周りに間隔b1を空けて配置される外筒部３と、この外筒部３にヒンジ６を介して繋がり前記引き離しを生起させる開閉蓋５とを備え、本体２と外筒部３とを、その周方向に沿って間隔b2を空けて配置した破断可能な複数の連結片７で連結してなり、本体２と外筒部３との間で連結片７によって区画された複数の隙間のうち、当該隙間の少なくとも１箇所に、本体２と外筒部３との間隔b1を維持するための薄肉部を設けた。【選択図】図１
2008296983.tif 000002
【特許請求の範囲】
【請求項１】
容器の内容物を注出する注出口を有し容器の口部に打栓される本体と、この本体を容器の口部から引き離すための連結基部を有し当該本体の周りに間隔を空けて配置される外筒部と、この外筒部にヒンジを介して繋がり前記引き離しを生起させる開閉蓋とを備え、本体と外筒部とを、その周方向に沿って間隔を空けて配置した破断可能な複数の連結片で連結してなる注出キャップにおいて、
本体と外筒部との間で連結片によって区画された複数の隙間のうち、当該隙間の少なくとも１箇所に、本体と外筒部との間隔を維持するための薄肉部を設けたことを特徴とする注出キャップ。
【請求項２】
薄肉部が、隙間を閉じるように設けられてなる請求項１に記載の注出キャップ。
【請求項３】
薄肉部が、連結片の間に隙間を残すように設けられてなる請求項１に記載の注出キャップ。
【請求項４】
薄肉部を、複数の隙間のうちから１箇所を残して残りの全てに設けてなる請求項１乃至３のいずれか一項に記載の注出キャップ。
【発明の詳細な説明】
【技術分野】
【０００１】
本発明は、容器の口部に打栓される注出キャップであって、その分離回収を容易ならしめるための技術に関するものである。
【背景技術】
【０００２】
従来の注出キャップには、注出口を有し容器の口部に打栓される本体と、この本体を容器の口部から引き離すための基部を有し当該本体の周りに間隔を空けて配置される外筒部とを備え、この外筒部にヒンジを介して繋いだ開閉蓋を操作片とすることで、容器の口部からの本体の引き離しを生起させ、注出キャップの分離回収を容易ならしめるものがある（例えば、特許文献１参照。）。
【特許文献１】特開２００３−２４６３３８号公報
【発明の開示】
【発明が解決しようとする課題】
【０００３】
しかしながら、こうした分離回収を目的とした従来の注出キャップは、その下端に環状溝を形成すると共に、この環状溝の内側に、容器の口部外側に係合する突起を設け、打栓機を用いて容器の口部に打栓させるにあたり、以下のような問題がある。
【０００４】
即ち、従来の注出キャップは、その下端に容器の口部が合さる環状溝を形成すると共に、この環状溝の内側に、容器の口部外側に係合する突起を設け、打栓機を用いて打栓するが、このとき、外筒部の外観形状が、その周方向に沿って局所的に歪んでしまう場合がある。
【０００５】
こうした歪みは、注出キャップの性能には何ら影響を与えないものの、見栄えの良し悪しによる購買意欲の違いを考慮すれば、こうした外観形状に表れる差異は極力抑えることが好ましい。
【０００６】
そこで、本願発明者は、試験・研究の結果、こうした局所的な歪みや変形は、外筒部の剛性が連結片部分で高いのに比べて、本体と外筒部との間で連結片によって区画された隙間部分では低いことに起因していることを見出した。
【０００７】
本発明の解決すべき課題は、分離回収を目的とした注出キャップを容器の口部に打栓するにあたり、その外筒部に局所的な歪みや変形を生じることであり、本発明の目的とするところは、外筒部での局所的な歪みや変形を抑制することにより、見栄えの良い顧客吸引力に優れた注出キャップを提供することにある。
【課題を解決するための手段】
【０００８】
本発明である注出キャップは、容器の内容物を注出する注出口を有し容器の口部に打栓される本体と、この本体を容器の口部から引き離すための連結基部を有し当該本体の周りに間隔を空けて配置される外筒部と、この外筒部にヒンジを介して繋がり前記引き離しを生起させる開閉蓋とを備え、本体と外筒部とを、その周方向に沿って間隔を空けて配置した破断可能な複数の連結片で連結してなる注出キャップにおいて、本体と外筒部との間で連結片によって区画された複数の隙間のうち、当該隙間の少なくとも１箇所に、本体と外筒部との間隔を維持するための薄肉部を設けたことを特徴とするものである。
【０００９】
本発明に係る薄肉部は、開閉蓋を操作片として外筒部を介して本体を容器の口部から引き離すにあたり、連結片と共に破断させることができるものであればよい。
【００１０】
具体例としては、薄肉部の厚さを０.０５〜０．２mmの範囲とし、好適には、０．１mm以下とすることが望ましい。また、薄肉部の厚さは、均等であることが好ましいが、これに限定されるものではない。
【００１１】
本発明において、薄肉部は、隙間を閉じるように設けることができる。また、薄肉部は、連結片の間に隙間を残すように設けてもよい。
【００１２】
更に、薄肉部は、外筒部の形状等を考慮して局所的な歪みや変形の発生が推定できる場合等では、複数の隙間のうち、その該当する箇所に設ければよいが、本発明によれば、ヒンジ直下に配置された隙間を除く、全ての隙間に設けることが好ましい。
【発明の効果】
【００１３】
本発明によれば、本体と外筒部との間で連結片によって区画された複数の隙間のうち、当該隙間の少なくとも１箇所に、本体と外筒部との間隔を維持するための薄肉部を設けたことで、外筒部の剛性が連結片の存在する部分や隙間の存在する部分に因らず、ほぼ均一になることから、注出キャップを容器の口部に打栓するにあたり、その外筒部に生じる局所的な歪みや変形を抑制することができる。
【００１４】
従って、本発明によれば、外筒部での局所的な歪みや変形が少なく、見栄えの良い顧客吸引力に優れた注出キャップを提供することができる。
【００１５】
また、本発明に係る薄肉部を、本体と外筒部との間にあって連結片の相互間に形成された隙間を閉じるように設ければ、外筒部での局所的な歪みや変形の抑制に対して更に有効である。
【００１６】
また、本発明に係る薄肉部を、連結片の間に隙間を残すように設ければ、薄肉部の破断が容易になるため、注出キャップの分離回収時の操作性を維持しつつ、その外筒部に生じる局所的な歪みや変形を抑制することができる。加えて、この場合、本来、本体と外筒部との間で連結片によって区画された隙間に担わせていた水抜き機能を連結片と薄肉部との隙間で維持しつつ、その外周部に生じる局所的な歪みや変形を抑制することができる。
【００１７】
更に、本発明に係る薄肉部を、複数の隙間のうちから１箇所を残して残りの全てに設ければ、本来、本体と外筒部との間で連結片によって区画された隙間に担わせていた水抜き機能を薄肉部８を設けない隙間で維持しつつ、その外周部に生じる局所的な歪みや変形を効率的に抑制することができる。加えて、容器の口部から本体を引き離すにあたって連結片の破断開始が容易になるため、注出キャップの分離回収時の操作性を維持しつつ、その外筒部に生じる局所的な歪みや変形を抑制することができる。
【発明を実施するための最良の形態】
【００１８】
以下、図面を参照して、本発明の好適な形態を詳細に説明する。
【００１９】
図１は、本発明の一形態である注出キャップ１をその底面側から斜視図である。また、図２，３はそれぞれ、同形態をその上面側から示す平面図及び、そのＸ−Ｘ断面図である。なお、図２，３は、蓋体を開いた状態であるが、蓋体の一部は省略してある。
【００２０】
符号２は、図示せぬ容器の内容物を注出する注出口を有し容器の口部に打栓される本体である。
【００２１】
本体２は、図３に示すように、内周部2aと外周部2bとを肩部2cで繋ぎ、その相互間に環状凹部ｎが形成されている。外筒部2bには更にその内側に、容器口部30の外側に設けた凸部31に係合して容器口部を抜け止め保持する係合用突起Ｐが一体に設けられている。
【００２２】
これにより、本体２は、従来と同様、その環状凹部ｎに容器口部30を合せて、打栓機を用いて押圧することにより、当該口部30に保持固定される。
【００２３】
内筒部2aの内径側には、注出筒2ｆが一体に設けられており、この注出筒2ｆの内径側には更に、開封栓2dが一体に形成されている。この開封栓2dは、プルリング2eを用いての引き起こしにより分離され、注出口を形成する。
【００２４】
符号３は、本体２の一部と連結基部４を介して一体に連結される外筒部である。この外筒部３は、本体２を取り囲むように、この本体２の周りに沿って間隔b1を空けて配置される。これにより、外筒部３は、本体２に対して連結基部４を基点に上下に揺動することができ、本体２を容器口部30から引き離すための力を本体２に与える。
【００２５】
符号５は、外筒部３にヒンジ６を介して揺動可能に一体に繋がる開閉蓋である。開閉蓋５は、図３の実線に示すように、注出筒2ｆとの嵌合によりその内側（注出口）を気密状態に保持する。
【００２６】
また、開閉蓋５は、注出キャップ１を分離回収するにあたっての操作片としても機能する。即ち、開閉蓋５を開いて引き上げれば、外筒部３も連結基部４を基点に本体２を引き上げるため、容器口部30からの本体２の引き離しを生起させることができる。
【００２７】
なお、本形態では、本体２の外周部2bのうち、連結基部４が繋がる部分に、２つの弱化溝Ｌが形成されている。弱化溝Ｌは、図３に示すように、外周部2bの下端部から係合用突起Ｐを通り、互いに平行に形成されている。
【００２８】
このため、容器口部30からの本体２の引き離しが生起されると、本体２の外周部2bが弱化溝Ｌに沿って破断し、容器口部30に対する外周部2bの規制を解除する。即ち、本体２の外周部2bが一部破断して、本体２と容器口部30との係合を解除することにより、容器口部30から注出キャップ１を容易に分離することができる。
【００２９】
ここで、図4(a)〜(c)はそれぞれ、図１の領域Ａを示す拡大図、同(a)のＹ−Ｙ断面図及び同(b)のＺ−Ｚ断面図である。
【００３０】
符号７は、本体２の外周部2bと外筒部３とを一体に連結する破断可能な連結片である。連結片７は、外周部2bと外筒部３との間に形成された環状の隙間に沿って間隔b2を空けて、即ち、その周方向に沿って間隔b2を空けて複数配置されている。
【００３１】
符号８は、本体２の外周部2bと外筒部３との間で連結片７によって区画された複数の隙間において、外周部2bと外筒部３との間隔b1を維持するための薄肉部である。この薄肉部８は、本体２の外周部2bと外筒部３との間で連結片７によって区画された隙間を閉じるように設けられている。
【００３２】
また、薄肉部８は、ヒンジ６直下に配置された隙間９を残して残りの全ての隙間に設けられている。即ち、本体２の外周部2bと外筒部３との間は、隙間９の１箇所を除いて全て塞がっている。
【００３３】
更に、薄肉部８は、厚さ０．１mm以下の均等な肉厚を有する膜としてなる。これにより、薄肉部８は、開閉蓋５を操作片として外筒部３を介して本体２を容器口部30から引き離すにあたり、連結片７と共に破断させることができる。
【００３４】
本発明に従う注出キャップ１によれば、本体２と外筒部３との間で連結片７によって区画された複数の隙間のうち、当該隙間の少なくとも１箇所に、本体２と外筒部３との間隔b1を維持するための薄肉部を設けたことで、外筒部３の剛性が連結片７の存在する部分や隙間の存在する部分に因らず、ほぼ均一になることから、注出キャップ１を容器口部31に打栓するにあたり、その外筒部３に生じる局所的な歪みや変形を抑制することができる。
【００３５】
従って、注出キャップ１によれば、外筒部３での局所的な歪みや変形が少なく、見栄えの良い顧客吸引力に優れた注出キャップを提供することができる。
【００３６】
また、本形態のように、注出キャップ１に係る薄肉部８を、本体２と外筒部３との間にあって連結片７の相互間に形成された隙間を閉じるように設ければ、外筒部３での局所的な歪みや変形の抑制に対して更に有効である。
【００３７】
更に、本形態のように、薄肉部８を、本体２の外周部2bと外筒部３との間で連結片７によって区画された複数の隙間のうちから、ヒンジ６直下に配置された隙間９を残して、残りの全てに設ければ、本来、本体２と外筒部３との間で連結片７によって区画された隙間に担わせていた水抜き機能を隙間９で維持しつつ、その外周部３に生じる局所的な歪みや変形を効率的に抑制することができる。加えて、容器口部31から本体２を引き離すにあたって連結片７の破断開始が容易になるため、注出キャップ１の分離回収時の操作性を維持しつつ、その外周部３に生じる局所的な歪みや変形を抑制することができる。
【００３８】
なお、本形態では、薄肉部８を、複数の隙間のうちから、ヒンジ６直下に配置された隙間９の１箇所を残して残りの全てに設けているが、この１箇所は、ヒンジ６直下以外の位置にある隙間であってもよい。
【００３９】
ところで、本発明によれば、薄肉部８は、他の形態として、図５に示すような構成を取ることも可能である。
【００４０】
本形態は、連結片７の間に隙間を完全に塞ぐのではなく、同図に示すように、連結片７の間に一部隙間Ｃを残すように設けられている。かかる構成によれば、薄肉部８の破断が容易になるため、注出キャップ１の分離回収時の操作性を維持しつつ、その外周部３に生じる局所的な歪みや変形を抑制することができる。加えて、この場合、本来、本体２と外筒部３との間で連結片７によって区画された隙間に担わせていた水抜き機能を連結片７と薄肉部８との隙間Ｃで維持しつつ、その外周部３に生じる局所的な歪みや変形を抑制することができる。
【００４１】
上述したところは、本発明の好適な形態をしたものであるが、特許請求の範囲において、種々の変更を加えることができる。例えば、注出口は、封止栓2dを引き離して形成するバージン栓に限らず、注出口を予め形成したものであってもよい。但しこの場合、注出口は、シール材で別途シールすることが好ましい。また、上述した各形態に採用されている様々な構成は、目的及び用途に応じて、適宜組み合わせや置換等の変更を行うことができる。
【図面の簡単な説明】
【００４２】
【図１】本発明の一形態である注出キャップをその底面側から斜視図である。
【図２】同形態をその上面側から示す平面図である。
【図３】同形態のＸ−Ｘ断面図である。
【図４】(a)〜(c)はそれぞれ、図１の領域Ａを示す拡大図、同(a)のＹ−Ｙ断面図及び同(b)のＺ−Ｚ断面図である。
【図５】本発明に従う注出キャップの他の形態を、図１の領域Ａに対応させた領域から示す拡大図である。
【符号の説明】
【００４３】
１   注出キャップ
２   本体
2a   内周部
2b   外周部
2c   肩部
2d   開封栓
2e   プルリング
３   外筒部
４   連結基部
５   開閉蓋
６   ヒンジ
７   連結片
８   薄肉部
９   水抜き用隙間
b1   径方向に沿った間隔
b2   周方向に沿った間隔
Ｃ   隙間
【図１】
2008296983.tif 000003
【図２】
2008296983.tif 000004
【図３】
2008296983.tif 000005
【図４】
2008296983.tif 000006
【図５】
2008296983.tif 000007